(57)【要約】【課題】  天幕を部分的に突き上げて張ることのできるテントフレームにおいて、強風発生時におけるテント倒壊の危険性に対して迅速に対処可能なテントフレームを提供する。【解決手段】  枠体２と複数本の脚体３とを有する躯体フレーム２３と、躯体フレーム２３と連結される支柱支持体４と、支柱支持体４に支持される支柱５と、を備え、支柱支持体４は、支柱５をその長さ方向に沿って上下動可能に案内するガイド部４ａと、所定の突き上げ高さ位さ位置で支柱５に係止して支柱５を支持する係止手段とを備え、前記係止手段の係止を解除することにより前記所定の突き上げ高さ位置から支柱５がガイド部４ａに案内されて自由落下するように構成されている。【選択図】  図１
2020101083.tif 000002
【特許請求の範囲】
【請求項１】
枠体と該枠体を支持する複数本の脚体とを有する躯体フレームと、前記躯体フレームと連結される支柱支持体と、前記支柱支持体に支持される支柱と、を備え、
前記支柱支持体は、前記支柱をその長さ方向に沿って上下動可能に案内するガイド部と、所定の突き上げ高さ位さ位置で前記支柱に係止して該支柱を支持する係止手段とを備え、前記係止手段の係止を解除することにより前記所定の突き上げ高さ位置から前記支柱が前記ガイド部に案内されて自由落下するように構成されていることを特徴とするテントフレーム。
【請求項２】
前記支柱の側面にピン孔が形成され、前記係止手段が、前記ピン孔に挿脱可能であって前記支柱の荷重を支持し得るピンを備えることを特徴とする請求項１に記載のテントフレーム。
【請求項３】
前記支柱支持体は、前記ガイド部に揺動自在に連結されるとともに自由端部が前記枠体に係合可能な係合部を有する複数本のアームを備え、
複数本の前記アームは、前記係合部の各々が前記枠体に係合することにより前記枠体上に合掌状に組まれるように構成されていることを特徴とする請求項１又は２に記載のテントフレーム。
【請求項４】
前記係合部は、前記枠体の上面及び内側面に当接する当接部と、前記上面に当接する当接部から突出する係止ピンと、を備え、
前記枠体の上面に前記係止ピンが挿入される係止孔が形成されていることを特徴とする請求項３に記載のテントフレーム。
【請求項５】
前記係合部は、前記アームに揺動自在に取り付けられていることを特徴とする請求項３又は４に記載のテントフレーム。
【請求項６】
前記ガイド部が筒状であって、前記支柱支持体は、前記ガイド部を鉛直方向に向けて支持するように前記枠体と前記ガイド部とを連結する連結補助部材を更に備えることを特徴とする請求項３〜５の何れかに記載のテントフレーム。
【請求項７】
前記連結補助部材が張力調整部を備えることを特徴とする請求項６に記載のテントフレーム。
【請求項８】
前記ガイド部が、前記連結補助部材の一端部を着脱可能に連結するための第１連結部を備えることを特徴とする請求項６又は７に記載のテントフレーム。
【請求項９】
前記第１連結部は、前記ガイド部の外周面から突出し前記連結補助部材の一端部が連結される鍔部を備えることを特徴とする請求項８に記載のテントフレーム。
【請求項１０】
前記枠体に取り付けられ、前記連結補助部材の他端部を着脱可能に連結するための第２連結部を更に有し、
前記枠体が、内周側にＴ溝を有する複数本の横架材と、前記横架材を連結するジョイント部とを有し、
前記第２連結部は、隣り合う前記横架材のＴ溝に挿入されて係合する係合凸部を備えることを特徴とする請求項８又は９に記載のテントフレーム。
【発明の詳細な説明】
【技術分野】
【０００１】
本発明は、本発明は、例えば屋内外での集会や催物や行事等に用いられるテントフレームに係り、特に、天幕の下から天幕を突き上げて支持するための支柱を備え、天幕を部分的に突き上げられた形態に張ることのできるテントフレームに関する。
【背景技術】
【０００２】
従来この種のテントフレームとして、例えば、４本の脚体に支持された矩形のフレームに対角線状に張設したワイヤーに支柱を支持させるタイプ（特許文献１，２等）、パンタグラフ機構の伸縮式梁材に支柱を支持させるタイプ（特許文献３等）、４本の脚体に支持された矩形の桁フレームの四隅に架設した合掌フレームの頂部に支柱を設けたタイプ（特許文献４等）、などが知られている。
【先行技術文献】
【特許文献】
【０００３】
【特許文献１】特開２００２−８１２２７号公報
【特許文献２】特開２００４−３１６１０３号公報
【特許文献３】特開２０１０−２７０４３３号公報
【特許文献４】特開２００２−１３８７１３号公報
【発明の概要】
【発明が解決しようとする課題】
【０００４】
天幕が錐状等のように部分的に突き上げられた形態に張られたテントは、雨水の排水性及び意匠性に優れているが、平坦な天幕のテントに比べて、強風が吹いた際に横風を受けやすく、天幕を介してテントフレームに横風による横方向の大きな負荷がかかり、テントが倒壊等を起こしやすい傾向がある。
【０００５】
しかしながら、従来のこの種のテントフレームでは、強風が吹き出してテントが倒壊する恐れが生じた場合には、テントフレームを折り畳むか解体する等する必要があり、特に、折り畳み式のテントフレームにおいてはテントの下に置かれていた物をテント下から運び出す作業も必要であって、いずれにしても手間と時間がかかり、迅速な対応が困難であった。
【０００６】
そこで、本発明は、天幕を部分的に突き上げて張ることのできるテントフレームにおいて、強風発生時におけるテント倒壊の危険性に対して迅速に対処可能なテントフレームを提供することを主たる目的とする。
【課題を解決するための手段】
【０００７】
上記目的を達成するため、本発明に係るテントフレームの第１の手段は、枠体と該枠体を支持する複数本の脚体とを有する躯体フレームと、前記躯体フレームと連結される支柱支持体と、前記支柱支持体に支持される支柱と、を備え、前記支柱支持体は、前記支柱をその長さ方向に沿って上下動可能に案内するガイド部と、所定の突き上げ高さ位さ位置で前記支柱に係止して該支柱を支持する係止手段とを備え、前記係止手段の係止を解除することにより前記所定の突き上げ高さ位置から前記支柱が前記ガイド部に案内されて自由落下するように構成されていることを特徴とする。
【０００８】
本発明に係るテントフレームの第２の手段は、上記第１の手段において、前記支柱の側面にピン孔が形成され、前記係止手段が、前記ピン孔に挿脱可能であって前記支柱の荷重を支持し得るピンを備えることを特徴とする。
【０００９】
本発明に係るテントフレームの第３の手段は、上記第１又は第２の手段において、前記支柱支持体が、前記ガイド部に揺動自在に連結されるとともに自由端部が前記枠体に係合可能な係合部を有する複数本のアームを備え、複数本の前記アームが、前記係合部の各々が前記枠体に係合することにより前記枠体上に合掌状に組まれるように構成されていることを特徴とする。
【００１０】
本発明に係るテントフレームの第４の手段は、上記第３の手段において、前記係合部が、前記枠体の上面及び内側面に当接する当接部と、前記上面に当接する当接部から突出する係止ピンと、を備え、前記枠体の上面に前記係止ピンが挿入される係止孔が形成されていることを特徴とする。
【００１１】
本発明に係るテントフレームの第５の手段は、上記第３又は第４の手段において、前記係合部が、前記アームに揺動自在に取り付けられていることを特徴とする。
【００１２】
本発明に係るテントフレームの第６の手段は、上記第３〜第５の何れかの手段において、前記ガイド部が筒状であって、前記支柱支持体は、前記ガイド部を鉛直方向に向けて支持するように前記枠体と前記ガイド部とを連結する連結補助部材を更に備えることを特徴とする。
【００１３】
本発明に係るテントフレームの第７の手段は、上記第６の手段において、前記連結補助部材が張力調整部を備えることを特徴とする。
【００１４】
本発明に係るテントフレームの第８の手段は、前記第６又は第７の手段において、前記ガイド部が、前記連結補助部材の一端部を着脱可能に連結するための第１連結部を備えることを特徴とする。
【００１５】
本発明に係るテントフレームの第９の手段は、上記第８の手段において、前記第１連結部は、前記ガイド部の外周面から突出し前記連結補助部材の一端部が連結される鍔部を備えることを特徴とする。
【００１６】
本発明に係るテントフレームの第１０の手段は、前記第８又は第９の手段において、前記枠体に取り付けられ、前記連結補助部材の他端部を着脱可能に連結するための第２連結部を更に有し、前記枠体が、内周側にＴ溝を有する複数本の横架材と、前記横架材を連結するジョイント部とを有し、前記第２連結部は、隣り合う前記横架材のＴ溝に挿入されて係合する係合凸部を備えることを特徴とする。
【発明の効果】
【００１７】
本発明によれば、テントフレームを折り畳み或いは解体しなくとも、天幕を下から突き上げ支持している支柱のみを自由落下させることができるので、強風時に支柱を迅速に降ろして強風の影響によるテントの倒壊等を防ぐことができる。
【図面の簡単な説明】
【００１８】
【図１】本発明に係るテントフレームの一実施形態を示す斜視図である。
【図２】本発明の構成要素である支柱支持体を示す正面図である。
【図３】図２の支柱支持体のアームを開いた状態を示す平面図である。
【図４】図２の支柱支持体の構成部品であるガイド部を示す正面図である。
【図５】図１のテントフレームの平面図である。
【図６】図４のＶＩ−ＶＩ視平面図である。
【図７】図１のテントフレームの一部を拡大して示す正面図である。
【図８】図１のテントフレームの一部を拡大して示す他の正面図である。
【図９】本発明の構成要素である第２連結部を示し、（ａ）は平面図、（ｂ）は右側面図、（ｃ）は正面図である。
【図１０】図１のテントフレームの一部を拡大して示す斜視図である。
【図１１】図１のテントフレームの組立途中の状態を示す正面図である。
【図１２】図１１の組立段階に続く段階を示す正面図である。
【図１３】図１２の組立段階に続く段階で支柱を伸張させた状態を示す正面図である。
【図１４】図１３の段階から脚体を伸張させた状態を示す正面図である。
【発明を実施するための形態】
【００１９】
本発明に係るテントフレームの一実施形態について、以下に図１〜図１４を参照して説明する。
【００２０】
図１を参照して、テントフレーム１は、枠体２と枠体２の四隅に其々接続されて枠体２を支持する４本の脚体３とを有する躯体フレーム２３と、天幕７（図１４参照）を下方から部分的に突き上げ支持するための支柱５と、躯体フレーム２３に連結されて支柱５を支持する支柱支持体４と、を有する。
【００２１】
支柱支持体４は、更に図２〜図４を参照して、支柱５をその長さ方向に沿って上下動可能に案内するガイド部４ａと、支柱５の上端部５ａをガイド部４ａから所定長さ突出させた位置（図１に示された位置）で係止する係止手段４ｂ（図４）と、を有している。
【００２２】
支柱支持体４は、ガイド部４ａの外周部に等角度間隔で揺動自在に連結されるとともに枠体２上に合掌構造を形成するように枠体２に係合可能な４本のアーム４ｃ（図３の平面図参照）を備えている。
【００２３】
アーム４ｃは、ガイド部４ａの上端部に取り付けられたブラケット４ａ１の軸４ａ２に揺動自在に軸着されている。なお、図２において、図示説明の都合上、図面手前に現れるべきアーム４ｃを仮想線で示している。ガイド部４ａは、図示例では、所定長を有する筒状であり、金属製の角パイプを用いている。
【００２４】
図４は、支柱支持体４から支柱５とアーム４ｃを取り外した状態を示す正面図である。係止手段４ｂは、図４を参照して、インデックスプランジャー４ｂ１をガイド部４ａに固定し、インデックスプランジャー４ｂ１のプランジャーピン４ｂ２が嵌入するピン孔（図示せず。）が支柱５に形成されている。インデックスプランジャー４ｂ１は、ガイド部４ａに溶接されたナット４ｂ３に螺着される。
【００２５】
インデックスプランジャー４ｂ１のノブ４ｂ４を引っ張れば、支柱５はガイド部４ａ内をスライド可能となり、内蔵バネ（図示せず。）の付勢力によりプランジャーピン４ｂ２が支柱５のピン孔に嵌入すると、支柱５がガイド部４ａに対してスライド不能となり位置固定され、プランジャーピン４ｂ２によって支柱５の荷重が支持される。係止手段４ｂは、インデックスプランジャー４ｂ１に代えて、或いは、インデックスプランジャー４ｂ１に加えて、シャフトロックピン、ボールロックピン、その他のピン等の他の係止手段を採用することもできる。
【００２６】
係止手段４ｂは、支柱５の荷重を支えるため、支柱５のピン孔からプランジャーピン４ｂ２を引き抜いて係止手段４ｂの係止を解除すれば、支柱５は、その荷重を支えるものがなくなり、自重によって所定の突き上げ位置からガイド部４ａに案内されながら自由落下する。
【００２７】
支柱支持体４のガイド部４ａに、第１連結部４ｄ（図２〜４）が取り付けられている。一方、枠体２には、四隅に第２連結部２ａ（図５）が取り付けられている。枠体２の四隅の第２連結部２ａとガイド部４ａの第１連結部４ｄとが、連結補助部材Ｗで連結される。
【００２８】
図示例において、連結補助部材Ｗは４本のワイヤーである。前記４本のワイヤーのうちの１本のワイヤーに張力調整部Ｔが介在されている。図示例において張力調整部Ｔはターンバックルである。連結補助部材Ｗは、ワイヤーに代えて、ベルト、チェーン、金属棒等を採用することができる。また、張力調整部Ｔは、ターンバックルに代えて、連結補助部材Ｗの材質等に応じて公知の張力調整部を備えることができる。なお、張力調整部Ｔは、図示例では１本のワイヤー（Ｗ）にのみ介在させているが、他のワイヤーに介在させることもできる。
【００２９】
枠体２は、断面四角形状を有し、好適にはアルミニウム合金の形材で形成される。アーム４ｃは、図２、図３、図７を参照して、アーム本体４ｃ１と、アーム本体４ｃ１の自由端部に揺動自在に設けられて枠体２に係合可能な係合部４ｃ２とを備えている。
【００３０】
図示例では、係合部４ｃ２にブラケット４ｃ３が固定され、ブラケット４ｃ３が軸４ｃ４を介してアーム４ｃの端部に回動自在に軸着されて、係合部４ｃ２がアーム４ｃに揺動自在に設けられている。
【００３１】
係合部４ｃ２は、図７を参照して、枠体２の内側面２ｃに当接する当接部４ｃ５と、枠体２の上面２ｂに当接する当接部４ｃ６から突出する係止ピン４ｃ７と、を備えている。枠体２の上面２ｂには、係止ピン４ｃ７が挿入される係止孔２ｄが形成されている。
【００３２】
アーム４ｃは筒状をしたガイド部４ａの上部に揺動自在に連結され、第１連結部４ｄはガイド部４ａの下部に設けられている。第１連結部４ｄは、図６を参照して、ガイド部４ａの外周面から突出する鍔部４ｄ１と、鍔部４ｄ１に形成された４つの第１連結用孔４ｄ２を備えている。４つの第１連結用孔４ｄ２は、図５に示すように、正方形の枠体２の対角線上の位置に形成されている。図１に示すように、支柱支持体４を枠体２に架設した時に、第２連結部２ａと第１連結部４ｄとが略同一高さとなるように構成されている。
【００３３】
枠体２は、図５を参照して、４本の横架材２ｅと、横架材２ｅを枠体２の四隅で連結するジョイント部２ｆとを有している。横架材２ｅは、中空のアルミニウム合金製形材で形成することができ、図８に示すように、ジョイント部２ｆは、互いに直交する３方向（図８では２方向のみ図示している。）を向く挿入部２ｆ１を有し、そのうちの２つの挿入部２ｆ１が横架材２ｅに挿入され、残りの一つの挿入部２ｆ１が脚体３に挿入される。挿入部２ｆ２に形成されたネジ穴（図示せず。）に、横架材２ｅに形成されたボルト孔（図示せず。）から挿通したボルト６を螺入し、横架材２ｅとジョイント部２ｆとが互いに連結される。
【００３４】
脚体３は、中空のアルミ合金製形材で形成することができ、図８を参照して、脚体３の上端部からジョイント部２ｆの挿入部２ｆ１が挿入されて、挿入部２ｆ１に形成されたネジ穴（図示せず。）に、脚体３に形成されたボルト孔（図示せず。）から挿通したボルト６を螺入し、脚体３とジョイント部２ｆとが互いに接続される。
【００３５】
脚体３は、図１を参照して、外管３ａと外管３ａに下方から挿入された内管３ｂを備える２重管構造の伸縮式となっており、所定の伸張時に外管３ａと内管３ｂとをロックするロック機構３ｃを有している。ロック機構３ｃは、外管３ａに固定したインデックスプランジャーのプランジャーピンが外管３ａ及び内管３ｂに形成されたピン孔（図示せず。）を貫通することにより構成することができる。インデックスプランジャーに代えて、或いは、インデックスプランジャーに加えてシャフトロックピンやボールロックピン等の他のロック機構を採用することもできる。
【００３６】
図９及び図１０を参照して、横架材２ｅは、内周側にＴ溝２ｔを有している。第２連結部２ａは、図９、図１０を参照して、第２連結用孔２ａ１が形成された連結プレート２ａ２と、連結プレート２ａ２に形成されて隣り合う横架材２ｅのＴ溝２ｔに挿入されて係合する係合凸部２ａ３と、を備えている。
【００３７】
上記構成を有するテントフレームは、以下のようにして組み立てられる。先ず、４本の脚体３の其々にジョイント部２ｆを連結する。次いで、４本の横架材２ｅをジョイント部２ｆに接続し、４本の脚体３の上に枠体２を形成し、躯体フレーム２３が形成される。横架材２ｅにジョイント部２ｆを連結する際に、第２連結部２ａの係合凸部２ａ３を横架材２ｅの内周側のＴ溝２ｔに端面開口側から挿入して係合させる。４本の脚体３と４つのジョイント部２ｆと４本の横架材２ｅとが互いに接続され、ボルト締めが完了した後、図１１に示すように、支柱支持体４を枠体２に架設する。
【００３８】
支柱支持体４を枠体２へ架設するには次の手順で行う。４本のアーム４ｃを開いて其々の自由端部にある係合部４ｃ２を、４本の横架材２ｅに其々係合させる。具体的には、係合部４ｃ２の係止ピン４ｃ７を横架材２ｅの係止孔２ｄに挿入して係止させる。係止孔２ｄは、横架材２ｅの長さ方向中間位置に形成されている。係合部４ｃ２は、当接部４ｃ６、４ｃ５が横架材２ｅの上面２ｂ及び内側面２ｃに其々当接する。係合部４ｃ２を横架材２ｅに係合させた４本のアーム４ｃは、４本の横架材２ｅの其々の長さ方向中間位置から枠体２の中心に向かって上側に傾斜して延び、図１に示すように、枠体２上で交差する合掌構造を形成する。
【００３９】
次に、枠体２の四隅にある第２連結部２ａとガイド部４ａの下部にある第１連結部４ｄとを連結補助部材Ｗを構成する４本のワイヤーで其々連結する。上記したように連結補助部材Ｗを構成する４本のワイヤーのうちの一本のワイヤーには、張力調整部Ｔを構成するターンバックルが介在されている。張力調整部Ｔが介在されていない３本のワイヤーは、支柱５が枠体２の中心位置にくる長さに設定されており、張力調整部Ｔによる張力を緩めた状態で第２連結部２ａと第１連結部４ｄに連結補助部材Ｗを構成するワイヤーを連結する。張力調整部Ｔの締め込み度合いを調整することで、連結補助部材Ｗを構成する４本のワイヤーが所定の張力に調節され、支柱５の傾きが鉛直方向に修正されるとともに、枠体２の既定の形状（図示例では正方形）からの変形（図示例では僅かな菱形への変形等）が既定の形状に修正される。図１１は、支柱支持体４を枠体２に架設し、連結補助部材Ｗを構成する４本のワイヤーを張設した状態を示す正面図である。
【００４０】
張力調整部Ｔの締め込み調整後、図１２に示すように、支柱支持体４の上から天幕７（仮想線で示されている。）を被せる。図示していないが、天幕７は、天幕７に取り付けられている留め紐等を横架材２ｅ等に縛り付ける等して、取り付けられる。
【００４１】
天幕７を支柱支持体４及び枠体２に被せておいてから、図１３に示すよう、支柱５をガイド部４ａ内でスライドさせながらガイド部４ａから上方へ突出させ、所定突き上げ高さ位置（図１３に示された位置）で係止手段４ｂによって係止させる。
【００４２】
天幕７を取り付けて支柱５を伸張させた後、図１４に示すように、脚体３を伸張させて所定の伸張位置でロック機構３ｃによってロックし、テントが完成する。
【００４３】
上記構成を有するテントフレーム１は、図１３又は図１４の組立完成状態において、係止手段４ｂによる支柱５の係止を解除すれば、支柱５がガイド部４ａに案内されつつ自由落下する。自由落下した支柱５は、図１２に示す位置迄落下する。図示例では支柱５の上端部５ａがストッパーとなり、上端部５ａがガイド部４ａの上端部に当接するまで落下する。上端部５ａは、支柱５の上端に固定された樹脂製キャップとすることができる。
【００４４】
従って、天幕７を張ってテントの組立が完成した状態で強風が吹き出した場合に、係止手段４ｂを解除し、支柱５を速やかに降ろすことができ、突き上げられていた天幕７を迅速に下げて、強風による横風の影響を軽減し、テントの倒壊等を迅速に防ぐことができる。
【００４５】
また、支柱支持体４は、合掌構造を形成するアーム４ｃでガイド部４ａを支持し、支柱５がガイド部４ａに支持されているので、長尺の支柱であっても安定して支持することができる。
【００４６】
アーム４ｃは、係止ピン４ｃ７を横架材２ｅの係止孔２ｄに差し込む構成とすれば、抜き差しが容易であり、組立及び分解が容易である。
【００４７】
アーム４ｃは、ガイド部４ａの外周部に揺動自在に連結されるので、枠体２から取り外した後、アーム４ｃをガイド部４ａの側に沿わせるようにして折り畳むことでコンパクト化が可能であり、収納や運搬に好適である。
【００４８】
アーム４ｃがガイド部４ａの上部に連結され、第１連結部４ｄがガイド部４ａの下部に設けられることにより、ガイド部４ａの上部は合掌構造により強固に支持され、ガイド部４ａの下部を、連結補助部材Ｗを構成する４本のワイヤーによって四方に引っ張って、支柱５が鉛直方向を向くようにしているので、天幕（図１４参照）が強風を受けて支柱５の上端部に大きな力を受けても、支柱５を強固に支持し得る。
【００４９】
第１連結部４ｄをガイド部４ａの外周面から突出する鍔部４ｄ１に連結補助部材Ｗを連結するための４つの第１連結用孔４ｄ２を形成することにより、ワイヤー等で形成される連結補助部材Ｗの取り付け構造が簡素化される。また、ワイヤー等で形成される連結補助部材Ｗがガイド部４ａの下方でクロスしないので、ガイド４ａから支柱５が自由落下する際の邪魔になることがない。
【００５０】
本発明は、上記実施形態に限定解釈されるものではなく、本発明の趣旨を逸脱しない範囲において、種々の変更態様を採用することができる。
【００５１】
例えば、枠体に関して、上記実施形態では正方形の枠体を例示したが、正方形以外の多角形の枠体とするともできるし、円形、或いは楕円形等の枠体とすることもできる。
【００５２】
また、脚体に関して、上記実施形態では４本の脚体を例示したが、４本に限らず、枠体の形状に応じて３本以上の複数本の脚体を設けることができる。
【００５３】
また、上記実施形態では、支柱が１本の実施形態を例示したが、支柱は一本に限らず、離間配置して複数本備えることもできる。
【００５４】
また、係止手段は、上記実施形態においてガイド部に取り付けたプランジャーピンを例示したが、支柱５を所定の突き上げ高さ位さ位置で係止できるものであればよく、例えば、支柱５の内部にプランジャーピンを取り付けて支柱の表面にプランジャーピンを出没可能に設けることにより、ガイド部の上端縁で係止する構成とし、支柱の側の係止手段を設けることもできる。
【００５５】
また、上記実施形態においてはガイド部として角パイプを例示したが、ガイド部は、角パイプに限らず、支柱をその長さ方向に沿って案内できるものであれば形状等は限定されない。
【００５６】
また、上記実施形態では、ガイド部を筒状として、ガイド部の上部に揺動自在に連結したアームを枠体に係合連結し、ガイド部の下部を連結補助部材で枠体と連結して、ガイド部を長さ方向に沿って鉛直方向に支持するようにしたが、ガイド部を鉛直方向に支持するために、図示した連結補助部材に代えて、例えば、ガイド部の下部とアームの中間部とを他の連結補助部材によって連結してガイド部が鉛直方向を向くようにしてもよい。
【００５７】
また、枠体やアームは、シザーズ状、Ｘリンク機構、或いはパンタグラフ機構等の折り畳み式テントにおいて従来公知の折り畳み可能な構造（例えば特開２０００−１５４６７１号公報等）とすることもできる。
【００５８】
上記実施例においてアームが枠体に係合する例を示したが、アームを脚体に係合させる構成を採用することも可能であり、枠体と脚体の双方にアームを係合させる構成を採用することもできる。
【符号の説明】
【００５９】
１  テントフレーム
２  枠体
２ａ  第２連結部
２ａ１  第２連結用孔
２ａ２  連結プレート
２ａ３  係合凸部
２ｅ  横架材
２ｆ  ジョイント部
２ｔ  Ｔ溝
３  脚体
４  支柱支持体
４ａ  ガイド部
４ｂ  係止手段
４ｃ  アーム
４ｃ１  アーム本体
４ｃ２  係合部
４ｃ５，４ｃ６  当接部
４ｃ７  係止ピン
４ｄ  第１連結部
４ｄ１  鍔部
４ｄ２  第１連結用孔
５  支柱
２３  躯体フレーム
Ｗ  連結補助部材
【図１】
2020101083.tif 000003
【図２】
2020101083.tif 000004
【図３】
2020101083.tif 000005
【図４】
2020101083.tif 000006
【図５】
2020101083.tif 000007
【図６】
2020101083.tif 000008
【図７】
2020101083.tif 000009
【図８】
2020101083.tif 000010
【図９】
2020101083.tif 000011
【図１０】
2020101083.tif 000012
【図１１】
2020101083.tif 000013
【図１２】
2020101083.tif 000014
【図１３】
2020101083.tif 000015
【図１４】
2020101083.tif 000016
【手続補正書】
【提出日】令和2年5月9日(2020.5.9)
【手続補正１】
【補正対象書類名】特許請求の範囲
【補正対象項目名】全文
【補正方法】変更
【補正の内容】
【特許請求の範囲】
【請求項１】
枠体と該枠体を支持する複数本の脚体とを有する躯体フレームと、前記躯体フレームと連結される支柱支持体と、前記支柱支持体に支持される支柱と、を備え、
前記支柱支持体は、前記支柱をその長さ方向に沿って上下動可能に案内するガイド部と、所定の突き上げ高さ位さ位置で前記支柱に係止して該支柱を支持する係止手段とを備え、前記係止手段の係止を解除することにより前記所定の突き上げ高さ位置から前記支柱が前記ガイド部に案内されて自由落下するように構成され、
前記支柱支持体は、前記ガイド部に揺動自在に連結されるとともに自由端部が前記枠体に係合可能な係合部を有する複数本のアームを備え、
複数本の前記アームは、前記係合部の各々が前記枠体に係合することにより前記枠体上で前記ガイド部に向かって上側に傾斜して真っ直ぐに延びて組まれるように構成され、
前記ガイド部が筒状であって、前記支柱支持体は、前記ガイド部を鉛直方向に向けて支持するように前記枠体と前記ガイド部とを連結する連結補助部材を更に備え、
前記ガイド部が、前記連結補助部材の一端部を着脱可能に連結するための第１連結部を備え、
前記枠体に取り付けられ、前記連結補助部材の他端部を着脱可能に連結するための第２連結部を更に有し、
前記枠体が、内周側にＴ溝を有する複数本の横架材と、前記横架材を連結するジョイント部とを有し、
前記第２連結部は、隣り合う前記横架材のＴ溝に挿入されて係合する係合凸部を備えることを特徴とするテントフレーム。
【請求項２】
前記支柱の側面にピン孔が形成され、前記係止手段が、前記ピン孔に挿脱可能であって前記支柱の荷重を支持し得るピンを備えることを特徴とする請求項１に記載のテントフレーム。
【請求項３】
前記係合部は、前記枠体の上面及び内側面に当接する当接部と、前記上面に当接する当接部から突出する係止ピンと、を備え、
前記枠体の上面に前記係止ピンが挿入される係止孔が形成されていることを特徴とする請求項２に記載のテントフレーム。
【請求項４】
前記係合部は、前記アームに揺動自在に取り付けられていることを特徴とする請求項３に記載のテントフレーム。
【請求項５】
前記連結補助部材が張力調整部を備えることを特徴とする請求項１に記載のテントフレーム。
【請求項６】
前記第１連結部は、前記ガイド部の外周面から突出し前記連結補助部材の一端部が連結される鍔部を備えることを特徴とする請求項１に記載のテントフレーム。
【請求項７】
テントフレームを構成する枠体の四隅に取り付けられる連結プレートであって、
前記枠体は、内周側にＴ溝を有する複数本の横架材が連結されて構成され、
前記連結プレートは、隣り合って連結される前記横架材の其々の前記Ｔ溝に挿入されて係合する一対の係合凸部と、ワイヤーを連結するための連結用孔とを備えることを特徴とする、前記連結プレート。
【手続補正２】
【補正対象書類名】明細書
【補正対象項目名】０００７
【補正方法】変更
【補正の内容】
【０００７】
上記目的を達成するため、本発明に係るテントフレームの第１の手段は、枠体と該枠体を支持する複数本の脚体とを有する躯体フレームと、前記躯体フレームと連結される支柱支持体と、前記支柱支持体に支持される支柱と、を備え、前記支柱支持体は、前記支柱をその長さ方向に沿って上下動可能に案内するガイド部と、所定の突き上げ高さ位さ位置で前記支柱に係止して該支柱を支持する係止手段とを備え、前記係止手段の係止を解除することにより前記所定の突き上げ高さ位置から前記支柱が前記ガイド部に案内されて自由落下するように構成され、前記支柱支持体は、前記ガイド部に揺動自在に連結されるとともに自由端部が前記枠体に係合可能な係合部を有する複数本のアームを備え、複数本の前記アームは、前記係合部の各々が前記枠体に係合することにより前記枠体上で前記ガイド部に向かって上側に傾斜して真っ直ぐに延びて組まれるように構成され、前記ガイド部が筒状であって、前記支柱支持体は、前記ガイド部を鉛直方向に向けて支持するように前記枠体と前記ガイド部とを連結する連結補助部材を更に備え、前記ガイド部が、前記連結補助部材の一端部を着脱可能に連結するための第１連結部を備え、前記枠体に取り付けられ、前記連結補助部材の他端部を着脱可能に連結するための第２連結部を更に有し、前記枠体が、内周側にＴ溝を有する複数本の横架材と、前記横架材を連結するジョイント部とを有し、前記第２連結部は、隣り合う前記横架材のＴ溝に挿入されて係合する係合凸部を備えることを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
本発明に係るテントフレームの第３の手段は、上記第２の手段において、前記係合部が、前記枠体の上面及び内側面に当接する当接部と、前記上面に当接する当接部から突出する係止ピンと、を備え、前記枠体の上面に前記係止ピンが挿入される係止孔が形成されていることを特徴とする。
【手続補正５】
【補正対象書類名】明細書
【補正対象項目名】００１１
【補正方法】変更
【補正の内容】
【００１１】
本発明に係るテントフレームの第４の手段は、上記第３の手段において、前記係合部が、前記アームに揺動自在に取り付けられていることを特徴とする。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
本発明に係るテントフレームの第５の手段は、上記第１の手段において、前記連結補助部材が張力調整部を備えることを特徴とする。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】
本発明に係るテントフレームの第６の手段は、上記第１の手段において、前記第１連結部は、前記ガイド部の外周面から突出し前記連結補助部材の一端部が連結される鍔部を備えることを特徴とする。
【手続補正１０】
【補正対象書類名】明細書
【補正対象項目名】００１６
【補正方法】削除
【補正の内容】